(57)【要約】      （修正有）【課題】衛生的で、組立が容易な包装箱および包装箱用ブランクを提供する。【解決手段】底壁１０に連設された第１内側板２１と、第１内側板２１に連設された第１外側板２２と、第１外側板２２に連設された側折込板２３と、底壁１０に連設された第２内側板３１と、第２内側板３１に連設された第２外側板３２と、第２外側板３２に連設された底折込板３３と、第１内側板２１に連設された第１連結板４１と、第２内側板３１に連設された第２連結板４２と、第１連結板４１に形成された挿入片４３とからなり、側折込板２３は挿入片４３が挿入される挿入口２４が形成されている。【選択図】図１
0003169430.tif 000002
【実用新案登録請求の範囲】
【請求項１】
底壁と、
複数の第１側壁と、
該第１側壁と同数の第２側壁とを備え、
前記第１側壁は、
前記底壁に連設された第１内側板と、
該第１内側板に山折線を介して連設された第１外側板と、
該第１外側板に山折線を介して連設された一対の側折込板とからなり、
前記第２側壁は、
前記底壁に連設された第２内側板と、
該第２内側板に山折線を介して連設された第２外側板と、
該第２外側板に山折線を介して連設された底折込板とからなり、
前記第１内側板と前記第２内側板とは、
前記底壁を囲んで交互に配置され、
連結板を介して接続されており、
前記連結板は、
前記第１内側板に谷折線を介して連設された第１連結板と、
該第１連結板に谷折線を介して連設され、前記第２内側板に山折線を介して連設された第２連結板と、
前記第１連結板に形成された挿入片とからなり、
前記側折込板は、
前記第１内側板と前記第１外側板との間の山折線で山折にしたときに、前記第１連結板と接する位置に配置されており、
前記挿入片が挿入される挿入口が形成されている
ことを特徴とする包装箱用ブランク。
【請求項２】
前記挿入片は、前記第１連結板に形成された突出部であり、
前記第２連結板は、前記第１連結板と前記第２連結板との間の谷折線で谷折にしたときに、前記挿入片に接しない形状である
ことを特徴とする請求項１記載の包装箱用ブランク。
【請求項３】
四角形の前記底壁と、
該底壁の対向する２辺に連設された一対の前記第１側壁と、
他の２辺に連設された一対の前記第２側壁とを備える
ことを特徴とする請求項１または２記載の包装箱用ブランク。
【請求項４】
請求項１、２または３記載の包装箱用ブランクを用いて、
前記挿入片を前記挿入口に挿入し、
前記側折込板を前記連結板とともに前記第２内側板と前記第２外側板との間に折り込み、
前記底折込板を前記第２内側板と前記側折込板との間に折り込んで組み立てられた
ことを特徴とする包装箱。
【考案の詳細な説明】
【技術分野】
【０００１】
本考案は、包装箱および包装箱用ブランクに関する。さらに詳しくは、弁当箱や、弁当箱に収容される小分け用の中子として用いられる包装箱および包装箱用ブランクに関する。
【背景技術】
【０００２】
弁当箱や、弁当箱に収容される小分け用の中子として用いられる包装箱として、紙製のブランクを組み立てて作られる包装箱が知られている（例えば、特許文献１）。
従来の包装箱用ブランクには糊代片が設けられており、包装箱の組み立ての際には、その糊代片をブランクの他の部分に接着剤で接着することが行われる。
【０００３】
しかるに、従来の包装箱に食品を入れて冷凍すると、接着剤の接着力が弱くなり、接着した糊代片が剥がれる恐れがある。そうすると、包装箱が破損するという問題がある。
また、接着の仕方によっては接着剤が包装箱の内側へ溢れる場合があり、接着剤が食品に触れて衛生的では無いという問題がある。
さらに、包装箱の組み立てには、ブランク板を折り曲げる折曲工程の他に、糊代片を接着する接着工程が必要であるので、組み立てに時間がかかるという問題がある。
【先行技術文献】
【特許文献】
【０００４】
【特許文献１】特開平７−２５７５４８号公報
【考案の概要】
【考案が解決しようとする課題】
【０００５】
本考案は上記事情に鑑み、衛生的で、組立が容易な包装箱および包装箱用ブランクを提供することを目的とする。
【課題を解決するための手段】
【０００６】
第１考案の包装箱用ブランクは、底壁と、複数の第１側壁と、該第１側壁と同数の第２側壁とを備え、前記第１側壁は、前記底壁に連設された第１内側板と、該第１内側板に山折線を介して連設された第１外側板と、該第１外側板に山折線を介して連設された一対の側折込板とからなり、前記第２側壁は、前記底壁に連設された第２内側板と、該第２内側板に山折線を介して連設された第２外側板と、該第２外側板に山折線を介して連設された底折込板とからなり、前記第１内側板と前記第２内側板とは、前記底壁を囲んで交互に配置され、連結板を介して接続されており、前記連結板は、前記第１内側板に谷折線を介して連設された第１連結板と、該第１連結板に谷折線を介して連設され、前記第２内側板に山折線を介して連設された第２連結板と、前記第１連結板に形成された挿入片とからなり、前記側折込板は、前記第１内側板と前記第１外側板との間の山折線で山折にしたときに、前記第１連結板と接する位置に配置されており、前記挿入片が挿入される挿入口が形成されていることを特徴とする。
第２考案の包装箱用ブランクは、第１考案において、前記挿入片は、前記第１連結板に形成された突出部であり、前記第２連結板は、前記第１連結板と前記第２連結板との間の谷折線で谷折にしたときに、前記挿入片に接しない形状であることを特徴とする。
第３考案の包装箱用ブランクは、第１または第２考案において、四角形の前記底壁と、該底壁の対向する２辺に連設された一対の前記第１側壁と、他の２辺に連設された一対の前記第２側壁とを備えることを特徴とする。
第４考案の包装箱は、第１、第２または第３考案の包装箱用ブランクを用いて、前記挿入片を前記挿入口に挿入し、前記側折込板を前記連結板とともに前記第２内側板と前記第２外側板との間に折り込み、前記底折込板を前記第２内側板と前記側折込板との間に折り込んで組み立てられたことを特徴とする。
【考案の効果】
【０００７】
第１考案によれば、接着剤を使わずに組み立てることができるので、包装箱に食品を入れて冷凍しても破損する恐れが無い。また、接着剤が食品に触れる事が無く衛生的である。さらに、包装箱の組み立てには、ブランクを折り曲げるだけでよいので、組み立てに時間がかからない。
第２考案によれば、第２連結板は挿入片に接しない形状であるので、挿入片を挿入口へ挿入しやすい。
第３考案によれば、平面視四角形の包装箱を組み立てることができる。そのため、平面視四角形の弁当箱の中に隙間なく収容できる。
第４考案によれば、接着剤を使わずに組み立てることができるので、包装箱に食品を入れて冷凍しても破損する恐れが無い。また、接着剤が食品に触れる事が無く衛生的である。さらに、包装箱の組み立てには、ブランクを折り曲げるだけでよいので、組み立てに時間がかからない。
【図面の簡単な説明】
【０００８】
【図１】本発明の第１実施形態に係る包装箱用ブランクの平面図である。
【図２】同包装箱用ブランクの組み立て途中の側面図である。
【図３】同包装箱用ブランクの組み立て途中の正面図である。
【図４】同包装箱用ブランクの組み立て後の正面図である。
【図５】同包装箱用ブランクを組み立てて作られた包装箱の平面図である。
【図６】本発明の第２実施形態に係る包装箱用ブランクの平面図である。
【図７】同包装箱用ブランクを組み立てて作られた包装箱の平面図である。
【図８】本発明の第３実施形態に係る包装箱用ブランクの平面図である。
【図９】同包装箱用ブランクを組み立てて作られた包装箱の平面図である。
【考案を実施するための形態】
【０００９】
つぎに、本考案の実施形態を図面に基づき説明する。
（第１実施形態）
図１に示すように、本考案の第１実施形態に係る包装箱用ブランクＡ１は、四角形の底壁１０と、その底壁１０の対向する２辺に連設された一対の第１側壁２０、２０と、他の２辺に連設された一対の第２側壁３０、３０とを備える。
【００１０】
第１側壁２０は、底壁１０の１辺である谷折線ｖ１を介して連設された第１内側板２１と、その第１内側板２１に山折線ｍ１を介して連設された第１外側板２２と、その第１外側板２２に山折線ｍ２、ｍ２を介して連設された一対の側折込板２３，２３とからなる。山折線ｍ２、ｍ２は山折線ｍ１の両端に接続されており、側折込板２３，２３は、第１外側板２２の長尺方向に連設されている。
第１内側板２１と第１外側板２２は台形であり、山折線ｍ１を軸として対象な形状となっている。この山折線ｍ１は、包装箱用ブランクＡ１を包装箱として組み立てたときに開口上縁となるため、本実施形態のように、山折線ｍ１が谷折線ｖ１より長ければ上部が広く開口した包装箱となる。一方、山折線ｍ１が谷折線ｖ１より短ければ上部が窄まった包装箱となる。また、第１内側板２１および第１外側板２２の高さ寸法が長ければ深い包装箱となり、短ければ浅い包装箱となる。
【００１１】
第２側壁３０は、底壁１０の１辺である谷折線ｖ２を介して連設された第２内側板３１と、その第２内側板３１に山折線ｍ３を介して連設された第２外側板３２と、その第２外側板３２に山折線ｍ４を介して連設された底折込板３３とからなる。
第２内側板３１と第２外側板３２は台形であり、山折線ｍ３を軸として対象な形状となっている。この山折線ｍ３も、包装箱用ブランクＡ１を包装箱として組み立てたときに開口上縁となるため、本実施形態のように、山折線ｍ３が谷折線ｖ２より長ければ上部が広く開口した包装箱となる。一方、山折線ｍ３が谷折線ｖ２より短ければ上部が窄まった包装箱となる。また、本実施形態のように、山折線ｍ３が山折線ｍ１と等しければ、底壁１０と第１側壁２０とのなす角と、底壁１０と第２側壁３０とのなす角が等しい包装箱となる。一方、山折線ｍ３が山折線ｍ１より長ければ、底壁１０と第１側壁２０とのなす角が、底壁１０と第２側壁３０とのなす角よりも大きい包装箱となり。山折線ｍ３が山折線ｍ１より短ければ、底壁１０と第１側壁２０とのなす角が、底壁１０と第２側壁３０とのなす角よりも小さい包装箱となる。なお、第２内側板３１および第２外側板３２の高さ寸法は、第１内側板２１および第１外側板２２の高さ寸法と等しくなっている。
【００１２】
上記第１内側板２１は底壁１０の対向する２辺にそれぞれ連設されており、第２内側板３１は底壁１０の他の２辺にそれぞれ連設されている。すなわち、第１内側板２１，２１と第２内側板３１，３１とは、底壁１０を囲んで交互に配置されている。
【００１３】
隣り合う第１内側板２１と第２内側板３１とは、連結板４０を介して接続されている。
連結板４０は、第１内側板２１に谷折線ｖ３を介して連設された第１連結板４１と、その第１連結板４１に谷折線ｖ４を介して連設され、第２内側板３１に山折線ｍ５を介して連設された第２連結板４２とからなる。
この谷折線ｖ４は、谷折線ｖ４で谷折にしたときに、谷折線ｖ３と山折線ｍ５が重なる位置に設けられている。
【００１４】
また、第１連結板４１は三角形であり、その一頂点が突出して挿入片４３となっている。第２連結板４２も三角形であるが、谷折線ｖ４で谷折にしたときに、挿入片４３に接しないように、第１連結板４１より小さく形成されている。
【００１５】
側折込板２３は、山折線ｍ１で山折にしたときに、第１連結板４１と接する位置に配置されており、挿入片４３の根元に対応する位置には、挿入片４３が挿入されるスリット状の挿入口２４が形成されている。
【００１６】
包装箱用ブランクＡ１は、紙や、合成樹脂シート等で形成される。また、包装箱を弁当箱として使用する場合には、水分が染み込まないように、包装箱用ブランクの表面にラミネート加工やコーティング加工を施すことが好ましい。
【００１７】
つぎに、包装箱用ブランクＡ１を組み立てて包装箱Ｂ１を作る方法について説明する。
まず、図２に示すように、包装箱用ブランクＡ１を谷折線ｖ１，ｖ２，ｖ４で谷折にし、山折線ｍ１、ｍ５で山折にするとともに、挿入片４３を挿入口２４に挿入する。
ここで、第２連結板４２は谷折線ｖ４で谷折にしたときに、挿入片４３に接しないような形状となっているから、第２連結板４２が邪魔にならず、挿入片４３を挿入口２４へ挿入しやすい。
挿入片４３を挿入口２４に挿入することで、第１内側板２１と第１外側板２２とが密着し固定され、第１側壁２０が構成される。また、谷折線ｖ３と山折線ｍ２とが重なる。
【００１８】
つぎに、図３に示すように、山折線ｍ２で山折にすることで、側折込板２３を第２内側板３１の方向に倒す。このようにするとこで、谷折線ｖ３が谷折になり、山折線ｍ５が山折になり、第１連結板４１と第２連結板４２が第２内側板３１の方向に倒される。
側折込板２３を第２内側板３１の方向に倒すことで、第１連結板４１と第２連結板４２により第１側壁２０が引っ張られ、第１側壁２０が立ちあがり、谷折線ｖ３と山折線ｍ５とが密着する。
【００１９】
つぎに、図４に示すように、山折線ｍ３を山折にし、第２内側板３１と第２外側板３２とで側折込板２３と第１連結板４１と第２連結板４２とを挟む。すなわち、側折込板２３を第１連結板４１および第２連結板４２とともに第２内側板３１と第２外側板３２との間に折り込むようにする。
そして、山折線ｍ４を山折にし、底折込板３３を第２内側板３１と側折込板２３との間に折り込む。
底折込板３３を折り込むことで、第２内側板３１と第２外側板３２とが密着し固定され、第２側壁３０が構成される。また、第２外側板３２が側折込板２３を第２内側板３１に密着するように押えるようになり、第１側壁２０がより引っ張られ、第１側壁２０の縁と第２側壁３０の縁とが隙間ができないように密着される。
【００２０】
以上の手順で包装箱用ブランクＡ１を組み立てることで、形が崩れない強固な包装箱Ｂ１を作ることができる。
図５に示すように、包装箱用ブランクＡ１は、底壁１０が四角形であり、一対の第１側壁２０、２０と、一対の第２側壁３０、３０とを備えるので、平面視四角形の包装箱Ｂ１を組み立てることができる。そのため、平面視四角形の弁当箱の中に隙間なく収容できる。
【００２１】
また、接着剤を使わずに組み立てることができるので、包装箱Ｂ１に食品を入れて冷凍しても、連結部分が弱くなることがなく、破損する恐れが無い。また、接着剤が食品に触れる事が無く衛生的である。
さらに、包装箱の組み立てには、包装箱用ブランクＡ１を折り曲げるだけでよいので、組み立てに時間がかからない。また、組み立てた包装箱を展開することも容易であり、ゴミ出しに手間がかからない。
【００２２】
（第２実施形態）
図６に示すように、本考案の第２実施形態に係る包装箱用ブランクＡ２は、底壁１０が六角形であり、その底壁１０に連設された３つの第１側壁２０，２０，２０と、３つの第２側壁３０，３０，３０とを備える。また、第１側壁２０，２０，２０と第２側壁３０，３０，３０とは、底壁１０を囲んで交互に配置されている。その余の構成は第１実施形態と同様であるので、同一部材に同一符号を付して説明を省略する。
【００２３】
包装箱用ブランクＡ２の組み立て方法は、包装箱用ブランクＡ１の組み立て方法とほぼ同様である。各山折線ｍ１〜ｍ５を山折にし、各谷折線ｖ１〜ｖ４を谷折にしつつ、挿入片４３を挿入口２４に挿入し、側折込板２３を連結板４０とともに第２内側板３１と第２外側板３２との間に折り込み、底折込板３３を第２内側板３１と側折込板２３との間に折り込めば、包装箱Ｂ２として組み立てることができる。
【００２４】
図７に示すように、包装箱用ブランクＡ２は、底壁１０が六角形であり、３つの第１側壁２０，２０，２０と、３つの第２側壁３０，３０，３０とを備えるので、平面視六角形の包装箱Ｂ２を組み立てることができる。
【００２５】
なお、底壁１０は四角形、六角形に限られず、ｎ角形（ｎは４以上の２の倍数）とすることができる。底壁１０をｎ角形とし、第１側壁２０および第２側壁３０をそれぞれｎ／２個備える包装箱用ブランクとすれば、平面視ｎ角形の包装箱を組み立てることができる。
【００２６】
（第３実施形態）
図８に示すように、本考案の第３実施形態に係る包装箱用ブランクＡ３は、底壁１０が三角形であり、その底壁１０に連設された３つの第１側壁２０，２０，２０と、３つの第２側壁３０，３０，３０とを備える。また、第１側壁２０，２０，２０と第２側壁３０，３０，３０とは、底壁１０を囲んで交互に配置されている。また、第１内側板２１および第１外側板２２は三角形であり、第１内側板２１の角が底壁１０の角に連設されている。したがって、本実施形態においては、第１実施形態に係る包装箱用ブランクＡ１の谷折線ｖ１がない。その余の構成は第１実施形態と同様であるので、同一部材に同一符号を付して説明を省略する。
【００２７】
なお、上記実施形態では挿入片４３を第１連結板４１の一頂点として形成したが、本実施形態のように、突出した小片として形成してもよい。このようにすれば、挿入片４３を挿入口２４に深く差しこめるので、挿入口２４から挿入片４３が抜けにくく、包装箱を強固にできる。
【００２８】
包装箱用ブランクＡ３の組み立て方法は、包装箱用ブランクＡ１の組み立て方法とほぼ同様である。各山折線ｍ１〜ｍ５を山折にし、各谷折線ｖ２〜ｖ４を谷折にしつつ、挿入片４３を挿入口２４に挿入し、側折込板２３を連結板４０とともに第２内側板３１と第２外側板３２との間に折り込み、底折込板３３を第２内側板３１と側折込板２３との間に折り込めば、包装箱Ｂ３として組み立てることができる。
【００２９】
図９に示すように、包装箱用ブランクＡ３は、底壁１０が三角形であり、３つの第１側壁２０，２０，２０と、３つの第２側壁３０，３０，３０とを備えるので、底が平面視三角形であり、開口上縁が六角形の包装箱Ｂ３を組み立てることができる。
【００３０】
なお、底壁１０は三角形に限られず、ｍ角形（ｍは３以上の整数）とすることができる。底壁１０をｍ角形とし、第１側壁２０および第２側壁３０をそれぞれｍ個備える包装箱用ブランクとすれば、底が平面視ｍ角形であり、開口上縁が２×ｍ角形の包装箱を組み立てることができる。
【符号の説明】
【００３１】
Ａ１〜Ａ３  包装箱用ブランク
Ｂ１〜Ｂ３  包装箱
１０        底壁
２０        第１側壁
２１        第１内側板
２２        第１外側板
２３        側折込板
２４        挿入口
３０        第２側壁
３１        第２内側板
３２        第２外側板
３３        底折込板
４０        連結板
４１        第１連結板
４２        第２連結板
４３        挿入片
ｍ１〜ｍ５  山折線
ｖ１〜ｖ４  谷折線
【図１】
0003169430.tif 000003
【図２】
0003169430.tif 000004
【図３】
0003169430.tif 000005
【図４】
0003169430.tif 000006
【図５】
0003169430.tif 000007
【図６】
0003169430.tif 000008
【図７】
0003169430.tif 000009
【図８】
0003169430.tif 000010
【図９】
0003169430.tif 000011